(57)【要約】【課題】多様な展示形態をとることが出来る包装用箱を得る。【解決手段】包装用箱は、同じ方向に折り曲げられた折線を介して第一の側パネル３と底パネル１と第二の側パネル４と上パネル２とが連なり、第一の側パネル３と上パネル２とが接合されている。第一と第二の側パネル３、４の両側から折り曲げられた端接合フラップ８、９に底パネル１と上パネル２の両側からそれぞれ折り曲げられた第一の端フラップ６、６と第二の端フラップ７、７とを固定している。第一と第二の側パネル３、４とそれらの両側の第一と第二の端接合フラップ８、９にわたってそれらの上下方向のほぼ中間部に切断補助線１５、１６を設け、上パネル２とその両側の第二の端パネル７、７にわたってそれられの幅方向の中間部に切断補助線１０、１２、１２を設けている。【選択図】図６
2008179371.tif 000002
【特許請求の範囲】
【請求項１】
折線を介して順次連なった第一の側パネル（３）と底パネル（１）と第二の側パネル（４）と上パネル（２）とをそれらの間の折線に沿って同じ方向に折り曲げると共に、前記第一の側パネル（３）と上パネル（２）とを接合することにより六面体の箱体のそれぞれ互いに対向する上下両壁と一対の側壁とを構成し、前記第一と第二の側パネル（３）、（４）の両側から延設された端接合フラップ（８）、（９）及び底パネル（１）と上パネル（２）の両側からそれぞれ延設した第一の端フラップ（６）、（６）と第二の端フラップ（７）、（７）とをそれらの基部の折線に沿って同じ方向に折り曲げると共に、第一と第二の端フラップ（６）、（６）、（７）、（７）の両側に端接合フラップ（８）、（９）を重ね合わせて固定した包装用箱において、第一と第二の側パネル（３）、（４）とそれらの両側の第一と第二の端接合フラップ（８）、（９）にわたってそれらの上下方向の中間部に切断補助線（１５）、（１６）を設け、上パネル（２）とその両側の第二の端パネル（７）、（７）にわたってそれられの幅方向のほぼ中間部に切断補助線（１０）、（１２）、（１２）を設けたことを特徴とする包装用箱。
【請求項２】
上パネル（２）の切断補助線（１０）の両端から第二の側パネル（４）、（４）との折線の両端にわたって上パネル（２）とその両側の第二の端パネル（７）、（７）との折線に沿って切断補助線（１１）、（１１）を設けたことを特徴とする請求項１に記載の包装用箱。
【請求項３】
上パネル（２）と第二の側パネル（４）との間の折線に沿って切断補助線（１７）を設けたことを特徴とする請求項１または２に記載の包装用箱。
【発明の詳細な説明】
【技術分野】
【０００１】
本発明は、商品の物流のための梱包用箱としての機能と、小売店等での商品の個別販売のため、商品を箱体に収納したまま展示することが出来る展示用箱としての機能とを有する包装用箱に関し、特に包装用箱を展示用箱への転用を容易にすると共に、展示の形態を多様にとることが出来る包装用箱に関する。
【背景技術】
【０００２】
瓶、缶、箱等に収納された商品の梱包用の包装用箱には、段ボール板のブランクを打ち抜き、折り曲げて作られる、いわゆる段ボール箱が使用される。商品を梱包した包装用箱は、段積みされ、交通手段を利用して製造地或いは一時ストック地から卸、小売等の販売地へ搬送される。従って、このような包装用箱には、商品の梱包用として、商品を収納して保護すると共に、その状態で交通手段による搬送や積み込み、積み降ろし等の荷役に耐えることが出来ることが要請される。
【０００３】
さらにこの種の包装用箱の二次的機能として、小売店等において有る程度まとまった数の商品を包装用箱に収納したまま、展示し、個々の商品を販売するための展示用箱として使用する機能が求められることがある。例えば、１２個、２４個、３０個等、流通単位の個数の商品を包装用箱から取り出すことなく、そのまま商品ラベル等が見え、かつ買物客が個々の商品を取り出し得るように包装用箱内の商品を表に出し、その状態で包装用箱を積み上げた場所で最上段の箱を展示形態として商品を展示し、販売する機能である。
【０００４】
包装用箱を梱包用から展示用に転用する場合、基本的には箱体の周囲を切断し、箱体の底部近い部分を残して箱体の上部を取り除き、トレイ状の形態とするのが最も一般的である。カッターナイフ等の道具を使用せずに箱体を切断する手段として従来最も一般的なのが、いわゆるカットテープによる切断補助手段を用いた切断である。このカットテープは、樹脂製の帯状のテープを箱体の内面に貼り付けておき、このテープを箱体の外側に引くことにより、テープで箱体を形成する段ボール板を切断するものである。
【０００５】
例えば、カットテープを切断補助手段として使用した梱包展示兼用の包装用箱としては、特開２００３−３２７２３９号公報に記載された包装用箱が既に公知である。この包装箱は、六面体の箱体の端壁を上下２つの外フラップにより構成し、上下２つの外フラップの両側を箱体の側壁を形成するパネルから延設した内フラップに重ねて固定し、側壁からその両側の内フラップにわたってその高さ方向の中間部に切断補助線を設け、この切断補助線に沿ってカットテープを貼ったものである。この両側の切断補助線のカットテープにより箱体を上下に切断することにより、箱体の下部のみを残し、トレイ状として商品の展示に供する。
【０００６】
他方、箱体を構成する段ボール板に切断補助線として断続する切れ目を入れ、その部分で箱体を切断するものもある。切れ目を一列に設けた、いわゆるミシン目の他、２列に設けて箱体を構成する段ボール板を帯状に切断するもの等がある。例えば前者の例としては、特開２００２−５９９２０号公報に記載されたものがある。また後者の例としては、特開２００１−１８９５０号公報に記載されたものがある。
【０００７】
これらのように、包装用箱を、商品の梱包用として当該商品の生産工場等から出荷し、流通経路を経て目的の小売店等に搬送した後、小売店で展示用として転用する場合には、多くの場合に箱体の側壁と端壁にわたって箱体の全周囲を切断し、トレイ状のものとし、商品の約上半分を表に出して展示するものである。
【０００８】
しかしながら、このような一元的な展示形態では、単に包装用箱の下半分を利用し、それにより商品を纏め、且つその上半分を展示するのみである。これでは需用者への商品の表現力に乏しい。また、包装用箱それ自体では商品の展示という機能に限られ、商品の説明やその他の表現は別途ポスターやディスプレイパネルによらなければならない。
【０００９】
【特許文献１】特開２００５−３０６４０１号公報
【特許文献２】特開２００５−９６７９９号公報
【特許文献３】特開２００５−１６８５号公報
【特許文献４】特開２００４−３４４２３６号公報
【特許文献５】特開２００３−３２７２３９号公報
【特許文献６】特開２００３−１１２７２３号公報
【特許文献７】特開２００２−５９９２０号公報
【特許文献８】特開２００１−８０６３４号公報
【特許文献９】特開２００１−１８９５０号公報
【特許文献１０】特開平１０−８６９３６号公報
【特許文献１１】特開平９−２５４９５８号公報
【発明の開示】
【発明が解決しようとする課題】
【００１０】
本発明は、前記従来の梱包、搬送用から展示用に転用可能な包装用箱における課題に鑑み、梱包、搬送用から展示用に転用するため、箱体の中に商品を収納したまま、その上半部を切断、除去してトレイ状にするだけでなく、その他の幾つかの展示形態をも実現出来、多様な展示形態をとることが出来る包装用箱を提供することを目的とする。
【課題を解決するための手段】
【００１１】
本発明では、前記の目的を達成するため、箱体の側面から端面にかけて箱体の全周囲をその上下方向の中間位置で切断出来る切断補助線を設けたのに加え、箱体の上パネルの半分を必要に応じて様々な形で切り離すことが出来る切断補助線を設けた。これにより、箱体の上半部を切断、除去してトレイ状にするだけでなく、箱体の側面から端面にかけて箱体の半分だけ開き、なお且つ開いた箱体の上半分を利用して多様な展示形態をとることが出来るようにした。
【００１２】
本発明による包装用箱の構成をより具体的に説明すると、それは折線を介して連なった第一の側パネル３と底パネル１と第二の側パネル４と上パネル２とをそれらの間の折線に沿って同じ方向に折り曲げると共に、前記第一の側パネル３と上パネル２とを接合することにより六面体の箱体のそれぞれ互いに対向する上下両壁と一対の側壁とを構成し、前記第一と第二の側パネル３、４の両側から延設された端接合フラップ８、９及び底パネル１と上パネル２の両側からそれぞれ延設した第一の端フラップ６、６と第二の端フラップ７、７とをそれらの基部の折線に沿って同じ方向に折り曲げると共に、第一と第二の端フラップ６、６、７、７の両側に端接合フラップ８、９を重ね合わせて固定した包装用箱を基本とする。本発明では、このような包装用箱において、第一と第二の側パネル３、４とそれらの両側の第一と第二の端接合フラップ８、９にわたってそれらの上下方向のほぼ中間部に切断補助線１５、１６を設け、上パネル２とその両側の第二の端パネル７、７にわたってそれられの幅方向の中間部に切断補助線１０、１２、１２を設けた。
【００１３】
このような本発明による包装用箱では、第一と第二の側パネル３、４とそれらの両側の第一と第二の端接合フラップ８、９にわたってそれらの上下方向の中間部に設けた切断補助線１５、１６に沿って第一と第二の側パネル３、４とそれらの両側の第一と第二の端接合フラップ８、９の中間部を切断することにより、箱体の上下約半分が切り離され、下約半分をトレイ状として使用することが出来る。この使用形態は前述した従来の包装用箱による展示形態と同様の基本的な展示形態である。
【００１４】
他方、第一の側パネル３とそれらの両側の第一の端接合フラップ８、８にわたってそれらの上下方向の中間部に設けた切断補助線１５に沿って第一の側パネル３とそれらの両側の第一の端接合フラップ８、８の中間部のみを切断し、さらに上パネル２の両側の第二の端パネル７、７の幅方向の中間部に設けた切断補助線１２、１２に沿って切断し、上パネル２の幅方向の中間部に設けた切断補助線１０に沿っては切断せずに連結した状態で箱体の上部の半分を残しておくことも出来る。この場合は、残した上部の半分を切断補助線１０を基線として起こしたり倒したりした状態で、ディスプレイパネルとして利用することが出来る。また、箱体の残した上部の半分を元に戻して箱体を閉じ、その箱体の上半分を粘着テープ等で仮固定すれば、仮にではあるが、箱体を再閉することが出来る。
さらにこの状態から、上パネル２の幅方向の中間部に設けた切断補助線１０で上パネル２の半分を切り離せば、箱体の上側の半分だけを開き、片側の半分を半閉した状態とすることも出来る。
【００１５】
また、このような本発明による包装用箱において、上パネル２の切断補助線１０の両端から第二の側パネル４、４との折線の両端にわたって上パネル２とその両側の第二の端パネル７、７との折線に沿って切断補助線１１、１１を設け、さらに上パネル２と第二の側パネル４との間の折線に沿って切断補助線１７を設け、前記の状態からこられの切断補助線１１、１１、１７で上パネル２の残った上部の半分を切り離せば、箱体の上部を完全に開くことが出来る。
このように、本発明による包装用箱では、切断線を選択して適宜切断することで、様々な展示形態を選択し、展示用容器として使用することが出来る。
【発明の効果】
【００１６】
以上説明した通り、本発明による包装用箱では、箱体を切断する切断補助線を展示形態に合わせて選択することにより、多様な展示形態を実現することが可能である。これにより、一種類の包装用箱で、小売点の当該商品の販売実情に合わせて様々な展示形態を採用し、これを販売促進に結びつけることが可能となる。
【発明を実施するための最良の形態】
【００１７】
本発明は、箱体の側面から端面にかけて箱体の全周囲をその上下方向の中間位置で切断出来る切断補助線と共に、箱体の上パネルの半分を必要に応じて様々な形で切り離すことが出来る切断補助線を設け、これにより、前記の目的を達成するものである。
以下、このような本発明の実施例について、図面を参照しながら具体例を挙げて詳細に説明する。
【００１８】
図１は、箱体の展開図の一例である。これら箱体のブランクは紙製の波状のシートからなる中芯をライナーでラミネートした段ボール板が一般に使用される。段ボール板を図１に実線で示すように打ち抜くと共に、切れ目を入れ、かつ二点鎖線で示すように折線を入れることにより、組み立て前のブランクが出来上がる。
【００１９】
まず、図１に示す箱体のブランクについて説明する。図１に実線で示されているのはブランクの外形線と切断補助線である。波線はミシン目を示す。また、二点鎖線で示されているのは折線である。図１に示す箱体のブランクは箱体の内面側を示しており、前記折線は何れも図１の紙面に対して谷折りされる。
【００２０】
折線で四方を囲まれた長方形の底パネル１の長辺側の折線からそれぞれ第一と第二の側パネル３、４が延設されている。この第一と第二の側パネル３、４の幅、すなわち図１においてその左右の寸法は底パネル１の長辺の長さより若干狭い。また、第一と第二の側パネル３、４の高さ、すなわち図１においてその上下の寸法はほぼ等しい。
【００２１】
底パネル１は、商品を適当な数だけ並べて動かないように配置出来る平面寸法を有している。箱体の中に仕切りパネル等を挿入する場合は、その仕切りパネルの厚さを見込んだ平面寸法が必要である。側パネル３、４は、それらの商品が収まるだけの高さを有する。もし商品が包装用箱の中で段積みされる場合は、側パネルはその商品の段数の高さに見合った高さを必要とする。
【００２２】
前記底パネル１の短辺側の折線からは、第一の端フラップ６、６が延設されている。この第一の端フラップ６、６は凸形をしており、その高い部分の高さは、前記側パネル３、４の約１／２或いはそれよりやや低い。その幅、すなわち図１においてその上下の寸法は底パネル１の短辺の長さより若干狭い。
【００２３】
前記第一と第二の側パネル３、４の両側の折線からはそれぞれ端接合フラップ８、８、９、９が延設されている。この端接合フラップ８、８、９、９の高さ、すなわち図１においてその上下の寸法は側パネル３、４より若干狭い。また、この端接合フラップ８、８、９、９の幅、すなわち図１においてその左右の寸法は前記端フラップ６、６の高さの低い部分の幅、すなわち図１において端フラップ６、６の高さの低い部分の上下の寸法とほぼ同じである。
【００２４】
第一と第二の側パネル３、４とその両側の端接合フラップ８、８、９、９の上下方向、すなわち図１において上下方向の中間部であって、底パネル１にやや近い側に沿ったところに切断補助線１５、１６が設けられ、この切断補助線１５、１６に沿って箱体の内側となる面に細い帯状のカットテープが貼られている。さらに、このカットテープが貼られた切断補助線１５、１６上にあって、第一と第二の側パネル３、４の中央には、横Ｈ字形の切起用タブ１３、１４が設けられている。この切起用タブ１３、１４は、前記切断補助線１５、１６のカットテープの中央部分を切断するよう縦方向に設けた短い切れ目と、この縦方向の切れ目の両端の両側に切断補助線１５、１６のカットテープと平行に設けられた短い切れ目とからなる。
【００２５】
前記第二の側パネル４の上辺、すなわち図１において側パネル４の上側の辺である折線を介して上パネル２が連なっている。そしてこの第二の側パネル４と上パネル２との間の折線上には、ミシン目からなる切断補助線１７が設けられている。上パネル２は、前述した底パネル１とほぼ同じ寸法の矩形である。
【００２６】
この上パネル２の短辺側の折線からは、第二の端フラップ７、７が延設されている。この第二の端フラップ７、７は凸形をしており、高い部分の高さは、前記側パネル３、４の約１／２或いはそれよりやや低い。その幅、すなわち図１においてその上下の寸法は上パネル２の短辺の長さより若干狭い。
【００２７】
さらに、この上パネルの前記切断補助線１７と反対側の長辺側の折線からは、接合フラップ５が延設されている。この接合フラップ５の幅、すなわち図１においてその左右の寸法は上パネル２の長辺の長さより若干狭い。その高さ、すなわち図１においてその上下の寸法は側パネル３、４に比べると数分の１である。
【００２８】
上パネル２の中央にはその両側の第二の端フラップ７、７との折線にわたって切断補助線１０が設けられている。図２（Ａ）にその一部を拡大して示しているが、この切断補助線１０は、上パネル２の長手方向に２本ずつ列べられた切込線２０と、上パネル２の長手方向に平行に設けられた２本のミシン目１８とを上パネル２の中央長手方向に沿って交互に列べたものである。平行な２本のミシン目１８と切込線２０との間にはそれらと直交して設けた短い切込線１９が設けられている。
【００２９】
図１に示すように、前記上パネル２の切断補助線１０の両端から第二の側パネル４との間の折線上の切断補助線１７の両端に向けて、上パネル２と第二の端フラップ７、７との間の折線上に切断補助線１１、１１が設けられている。図２（Ａ）と（Ｂ）にその一部を拡大して示しているが、この切断補助線１１は、く字形の切込みをその一辺が上パネル２と第二の端フラップ７、７との間の折線に沿って並ぶように設けられたものである。
【００３０】
図１に示すように、前記上パネル２の両側の端フラップ７、７には、上パネル２の切断補助線１０の延長線上に切断補助線１２、１２が設けられている。図２（Ａ）の右側にその一部を拡大して示しているが、この切断補助線１２、１２は、前記上パネル２と第二の端フラップ７、７との間の折線上に設けられた切断補助線１１、１１と概ね同様のものである。
【００３１】
次に、このようなブランクを箱体として組み立てる手順について説明するが、この組立手順は一例であり、手順を若干変えても箱体の組み立てが可能であれば、それでも構わない。
まず、図１に示すブランクの状態から、底パネル１に対して第一と第二の側パネル３、４をそれらの折線に沿って９０゜谷折りし、底パネル１に対して第一と第二の側パネル３、４を立ち上げる。商品の梱包ラインにおいてはこの状態で箱体の中に商品が収納される。次に、第一と第二の側パネル３、４の両側の端接合フラップ８、８、９、９をそれらの折線に沿って９０゜谷折りし、底パネル１の短辺側に折り曲げる。さらに、底パネル１に対して第一の端フラップ６、６をそれらの折線に沿って９０゜谷折りし、底パネル１に対して第一の端フラップ６、６を立ち上げる。これにより第一の端パネル６、６の両端部が端接合フラップ８、８、９、９の下部の外面に重ね合わせられるので、この重ね合わせた部分を接着剤にて固定する。
【００３２】
次に、上パネル２の両側の第二の端フラップ７、７をその折線に沿って９０゜折り曲げ、上フラップ２に対して端フラップ７、７を起立させる。ここまで経た状態を図３に示す。図３では箱体の構造を見る都合上、商品は図示されていない。
この図３の状態から切断補助線１７が形成された折線に沿って上パネル２を９０゜折り曲げ、箱体の上面を閉じる。このとき、上パネル２の両側の端フラップ７、７の両端部を端接合フラップ８、８、９、９の上部の外面に重ね合わせ、この重ね合わせた部分を接着剤にて固定する。さらに、上パネル２に対して接合フラップ５をその折線に沿って９０゜折り曲げ、第一の側パネル３の上部分の外面に重ね合わせる。そしてこの重ね合わせた接合フラップ５と第一の側パネル３の上部分を接着剤にて固定する。これにより図４に示すような箱体が完成する。
これらの箱体の組み立てと商品の収納は、自動機械により行われるのが通常であるが、特別に少数の製品の梱包は手動で行われることもある。
【００３３】
次に、この箱体を開封して展示用に供する最も一般的な形態について図５により説明する。
この図５に示す展示形態は、双方の側パネル３、４の上半分をそれらのカットテープにより切断線１５、１６に沿って切断し、トレイ状としたものである。符合ａは商品の梱包状態を想像線で示してある。このようにするには、まず図４に示すような梱包状態から双方の側パネル３、４の切起用タブ１３、１４の中に指先を入れて、引き起こし、この切起用タブ１３、１４を起点としてカットテープを引いて双方の側パネル３、４とそれらの両側に連なった端接合フラップ８、８、９、９のほぼ中間部を切断補助線１５、１６に沿って切断する。上下の端フラップ６、６、７、７はもともと上下に分離しており、端接合フラップ８、８、９、９によってのみその両側が固定されているだけなので、この切断により箱体の下半分と上半分とが分離する。そして上半分を取り除くと箱体の下半分が図５に示すようなトレイ状となる。これにより、その中の商品ａの展示が可能となる。
【００３４】
次に、図６〜図１０に示す箱体を開封して展示用に供する形態について説明する。
ここではまず、前述のようなトレイ状の展示形態を得るのとは異なり、一方の側パネル３とその両側の端接合フラップ８、８についてのみ、カットテープにより切断補助線１５に沿って切断する。さらに、前記上パネル２の両側の端フラップ７、７の中央に設けた切断補助線１２、１２で端フラップ７、７を切断する。これにより、図３に示す箱体のうち、手前の約上半分が上パネル２の中央の切断補助線１０においてのみ連結された状態となる。この状態から箱体の手前の約上半分を上パネル２の中央の切断補助線１０を基線として９０゜上後方に起こした状態が図６である。
【００３５】
この図６の状態では、箱体の切り起こした部分が起立状態を保持するように仮止めし、上パネル２の前上半分の部分の内側にチラシ、パンフレット等を貼って展示することが出来る。例えば、商品の特長の説明、商品の使い方、利用方法等を印刷したチラシ、パンフレット等を貼った展示形態として利用することが出来る。
【００３６】
図７は図６の状態から箱体の手前の約上半分を上パネル２の中央の切断補助線１０を基線としてさらに９０゜後方に倒し、上パネル２の後半分の上に上パネル２の前半分を載せた形態である。この形態では、上パネル２の前半分の部分の内側にチラシ、パンフレット等を貼って展示することが出来る他、上パネル２の上に一部の商品ａを載せて、商品ａを前後で上下二段に展示出来る。例えば、図７では、箱体の中に縦に並べられて収納されている商品ａを幾つか取り出し、これを横に寝かせた状態で上パネル２の後半分の上に重ね合わせた上パネル２の前半分の上に載せ、展示している。図示の場合、上の商品ａは一段であるが、側パネル３等の高さがあれば数段積みにすることも出来る。さらに、これらの商品ａと側パネル３の上半分との間に、商品の説明等を印刷してディスプレイパネルを挟んで表示している。このような展示形態では、立体的な商品の展示がなされ、小売店頭で客の目に付きやすくなり、いわゆるアイキャッチの向上が図れる。
なお、この図６と商品ａを上に載せていない図７の状態では、切断補助線１０でつながっている箱体の前上半分の部分を元に戻し、カットテープ１５で切断した部分を粘着テープ等で止めれば、仮にであはあるが箱体を再び閉じ、商品の保管等に供することが出来る。
【００３７】
図８は、図７の状態になった箱体を利用して別の展示形態を採用した例である。この例では、下の図のような折り曲げて使用するディスプレイパネルｂを使用し、これを上パネル２の前半分の部分の内側に嵌め込んで展示したものである。ディスプレイパネルｂは、手前のパネル１ａに対して後ろのパネル２ｂそれらの間の折線で９０゜曲げ起こすと共に、パネル２ｂの両側のフラップ３ｂ、３ｂを前側に９０゜折り曲げる。そしてこのディスプレイパネルｂを、箱体の上に載せた上パネル２の前半分、側パネル３の上半分及び端接合フラップ８、８により固定された端フラップ７、７の前半分で囲まれた部分に差し込んで展示する。ディスプレイパネルｂの正面から見える手前側には、商品説明、その他の商品広告のための図柄、文字等を印刷しておく。
【００３８】
図９は、図６または図７の状態から切断補助線１０で上パネル２の後半分の部分から前半分の部分を切り離し、箱体の後上半分のみを残した形態である。この形態では、箱体の前半分が箱体本来の高さの約半分以下の半トレイ状となり、箱体の後半分は５面、すなわち底面、上面、一方の側面、双方の端面が閉じられた形態となる。箱体の上パネル２の後半分の部分の上には、商品を載せて展示したり、或いは広告手段等を載せたり貼ったりして展示効果を上げることが出来る。さらに、この箱体の上パネル２の後半分の上面に商品名やそのロゴ等を予め印刷しておくことにより、箱体の前半分に並べられた商品とそのロゴ等により商品をアピールすることが出来る。
【００３９】
他方図１０は、図７の状態から切断補助線１０で切断することなく、上パネル２の両側の切断補助線１１、１１のみを切断して切断補助線１７を基線として上パネル２を後方に折り曲げた状態である。さらにこの状態から切断補助線１７で上パネル２を切り取ることにより、図１１のように箱体が開かれた形態となる。この形態と図５に示された形態との違いは、箱体の後半分の第二の側パネル４と端接合フラップ９、９のカットテープ１６より上の部分及び上側の第二の端フラップ７、７が残っている点である。すなわち、箱体の前半分と後半分の壁体の高さが異なっている。
この図１１の形態は、図８の状態から上パネル２の後半分を両側の切断補助線１１、１１と切断補助線１７に沿って切断し、切り離すことでも得られる。何れの過程を経ても同じ形態が得られる。
【００４０】
なお、前述の説明において、「側パネル３、４」、「端フラップ６、７」という部分名称を使用したが、六面体の箱体の側面と端面は相対的なもので、区別の便宜のうえで対向する一対の側面に対し、それらにほぼ直交して隣接する他の側面を端面としただけのことである。すなわち、前述の説明では、箱体の幅の広い側面を「側面」として、幅の狭い側面を「端面」としたが、包装する商品の形態や並べ方によっては、その逆も当然あり得る。
【００４１】
また切断補助線１０、１１、１１、１２、１５、１６、１７は、それぞれ特殊な切断補助線の組合せであったり、く字形の切断補助線の連続であったり、カットテープを貼り付けたものであったり、ミシン目であったりと、幾つかの切断補助手段を使い分けているが、それらは必要に応じて適宜変更出来ることは言うまでもない。
【図面の簡単な説明】
【００４２】
【図１】本発明の一実施形態による箱体のブランクを示す展開図である。
【図２】図１のＡ部及びＢ部拡大図である。
【図３】本発明の一実施形態による箱体のブランクから箱体として組み立てる途中の状態を示す斜視図である。
【図４】本発明の一実施形態による箱体を図３の状態を経て組み立てが完了した状態を示す斜視図である。
【図５】本発明の一実施形態による箱体の図４の組み立てが完了した状態から商品展示のため、双方のカットテープで裁断してトレイ状とした状態を示す斜視図である。
【図６】本発明の一実施形態による箱体の図４の組み立てが完了した状態から商品展示のため、片方のカットテープで裁断して半トレイ状とし、切断した部分を立ち上げた状態を示す斜視図である。
【図７】本発明の一実施形態による箱体の図６の状態から切断した部分をさらに後方に寝かせた状態を示す斜視図である。
【図８】図７の状態において、その上に差し込んで使用するディスプレイパネルと共に箱体を示した斜視図である。
【図９】本発明の一実施形態による箱体の図６の状態から切断した部分を切り離し、上パネルの後ろ半分を残した状態を示す斜視図である。
【図１０】本発明の一実施形態による箱体の図７の状態から上パネルの後半分をその両側の切断補助線で切断し、立ち上げた状態を示す斜視図である。
【図１１】本発明の一実施形態による箱体の図８または図９の状態から上パネルの後半分を切り離した状態を示す斜視図である。
【符号の説明】
【００４３】
１    底パネル
８    端接合フラップ
３    第一の側パネル
４    第二の側パネル
２    上パネル
６    第一の端フラップ
７    第二の端フラップ
８    端接合フラップ
９    端接合フラップ
１０  切断補助線
１１  切断補助線
１２  切断補助線
１５  切断補助線
１６  切断補助線
【図１】
2008179371.tif 000003
【図２】
2008179371.tif 000004
【図３】
2008179371.tif 000005
【図４】
2008179371.tif 000006
【図５】
2008179371.tif 000007
【図６】
2008179371.tif 000008
【図７】
2008179371.tif 000009
【図８】
2008179371.tif 000010
【図９】
2008179371.tif 000011
【図１０】
2008179371.tif 000012
【図１１】
2008179371.tif 000013